(57)【要約】【課題】印鑑を印鑑本体と台座に分割し、印鑑を配送するのではなく印鑑本体を配送することで、印鑑本体の配送時に該印鑑本体が機械に挟まれて破損するといった不都合をなくすことができる、ボールペンに取り付け可能な印鑑、及び、この印鑑の本体を収容するケース並びにこの印鑑を取り付けてなる印鑑付きボールペンの提供。【解決手段】ボールペンの軸体後端部に取り付け可能な印鑑であって、この印鑑の印面が形成され少なくとも該印面からインクを滲出可能で場合によりインクを吸収可能な印字体、及び、この印字体を収容保持する収容保持部からなる印鑑本体と、前記収容保持部に連結可能とされ前記軸体後端部に取り付け可能な台座とから分割構成され、前記収容保持部には前記台座と連結するための係合手段が設けられ、前記台座には前記係合手段と係合可能な被係合手段が設けられていることを特徴とする印鑑である。【選択図】  図１
2004223814.tif 000002
【特許請求の範囲】
【請求項１】
ボールペンの軸体後端部に取り付け可能な印鑑であって、この印鑑の印面が形成され少なくとも該印面からインクを滲出可能で場合によりインクを吸収可能な印字体、及び、この印字体を収容保持する収容保持部からなる印鑑本体と、前記収容保持部に連結可能とされ前記軸体後端部に取り付け可能な台座とから分割構成され、前記収容保持部には前記台座と連結するための係合手段が設けられ、前記台座には前記係合手段と係合可能な被係合手段が設けられていることを特徴とする印鑑。
【請求項２】
前記係合手段は嵌合用突起若しくは嵌合用孔の一方であり、前記被係合手段は嵌合用孔若しくは嵌合用突起の他方であり、前記嵌合用突起の周面には抜け止め用の隆起部が形成されていることを特徴とする請求項１に記載の印鑑。
【請求項３】
印鑑の印面が形成され少なくとも該印面からインクを滲出可能で場合によりインクを吸収可能な印字体、及び、この印字体を収容保持する収容保持部からなる印鑑本体と、前記収容保持部と連結可能とされボールペンの軸体後端部に取り付け可能な台座とから分割構成され、前記収容保持部には前記台座と連結するための係合手段が設けられ、前記台座には前記係合手段と係合可能な被係合手段が設けられてなる、ボールペンの軸体後端部に取り付け可能な印鑑の前記印鑑本体を収容するためのケースであり、
一端が開口され他端に底板を有する第１の有底筒体と、一端が開口され他端に底板を有する第２の有底筒体とからなり、これら有底筒体は、開口部側同士で着脱可能な嵌合が可能とされ、これらを相互に嵌合させたときの該ケースの底板間隔は、前記印鑑本体の高さに略等しくなっており、一方の有底筒体には、前記係合手段を収容する凹所が、該有底筒体の内側から形成されていることを特徴とするケース。
【請求項４】
印鑑の印面が形成され少なくとも該印面からインクを滲出可能で場合によりインクを吸収可能な印字体、及び、この印字体を収容保持する収容保持部からなる印鑑本体と、前記収容保持部に連結可能とされボールペンの軸体後端部に取り付け可能な台座とから分割構成され、前記収容保持部には前記台座と連結するための係合手段が設けられ、前記台座には前記係合手段と係合可能な被係合手段が設けられてなる印鑑の前記台座が、前記係合手段と前記被係合手段を互いに係合させた状態で、ボールペンの軸体後端部に取り付けられていることを特徴とする印鑑付きボールペン。
【発明の詳細な説明】
【０００１】
【発明の属する技術分野】
本発明は、ボールペンに取り付け可能な印鑑及びこの印鑑の本体を収容するケース並びにこの印鑑を取り付けてなる印鑑付きボールペンに関し、より詳しくは、印鑑を印鑑本体と台座に分割し、印鑑を配送するのではなく印鑑本体を配送することで、印鑑本体の配送時に該印鑑本体が機械に挟まれて破損するといった不都合をなくすことができる、ボールペンに取り付け可能な印鑑、及び、この印鑑の本体を収容するケース並びにこの印鑑を取り付けてなる印鑑付きボールペンに関する。
【０００２】
【従来の技術】
従来より、ボールペンの軸体後端に印鑑が設けられた所謂印鑑付きボールペンが提案されている（例えば特許文献１を参照）。特許文献１に記載の印鑑付きボールペンにおいて、ペン先がある側を前側としたときに、印鑑は、後端が円板で閉塞され前端部がボールペンの軸体後端部に取り付け可能とされた有底円筒状の台座部と、この台座部の前記円板の後側に積層配設された円柱状の印字体、インク吸蔵体、及びクッションと、前記台座部の後端周縁からさらに後方へ延出し印字体、インク吸蔵体、及びクッションの周面を被覆する円筒状カバー部とから構成され、前記台座部とカバー部は一体成形されている。前記台座部の前端部をボールペンの軸体後端部にある印鑑保持孔に差し込むことにより、軸体に印鑑を取り付けることができる。
【０００３】
近年、この種のボールペンを販売するに当たり、印鑑とボールペンを個別に供給（分割供給）する手法が採られることがある。すなわち、店頭において、印鑑が装着されていない状態のボールペンを供給し、印鑑は葉書にて注文を受け付けると言う販売手法であり、ボールペン購入者は、店頭において印鑑を含めた料金を一括で支払う。該購入者は、印鑑を注文するとき、印面に刻印されるべき名前を葉書に記入する。この販売手法によれば、ボールペン購入者は、自分の名前が珍しいものであっても、その名前が刻印された印鑑を注文先から郵送にて受け取り、受け取った印鑑を予め購入しておいた前記ボールペンに自ら取り付け、印鑑付きボールペンとすることができる。
【０００４】
しかしながら、特許文献１に例示される従来の印鑑付きボールペンの印鑑は、前述の如く、台座部とカバー部が、印鑑の軸長方向に連続して筒状に一体成形されていたので高さが大きく、封筒に入れると該封筒が分厚くなって郵便局での処理や配送中に機械に挟まれたりして破損する恐れがあった。
【０００５】
【特許文献１】
特開平７−２１４９８９号公報
【０００６】
【発明が解決しようとする課題】
本発明は、このような実情に鑑みてなされたもので、印鑑を印鑑本体と台座に分割し、印鑑を配送するのではなく印鑑本体を配送することで、印鑑本体の配送時に該印鑑本体が機械に挟まれて破損するといった不都合をなくすことができる、ボールペンに取り付け可能な印鑑、及び、この印鑑の本体を収容するケース並びにこの印鑑を取り付けてなる印鑑付きボールペンの提供を目的とする。
【０００７】
【課題を解決するための手段】
請求項１記載の発明は、ボールペンの軸体後端部に取り付け可能な印鑑であって、この印鑑の印面が形成され少なくとも該印面からインクを滲出可能で場合によりインクを吸収可能な印字体、及び、この印字体を収容保持する収容保持部からなる印鑑本体と、前記収容保持部に連結可能とされ前記軸体後端部に取り付け可能な台座とから分割構成され、前記収容保持部には前記台座と連結するための係合手段が設けられ、前記台座には前記係合手段と係合可能な被係合手段が設けられていることを特徴とする印鑑である。
【０００８】
請求項２記載の発明は、前記係合手段は嵌合用突起若しくは嵌合用孔の一方であり、前記被係合手段は嵌合用孔若しくは嵌合用突起の他方であり、前記嵌合用突起の周面には抜け止め用の隆起部が形成されていることを特徴とする請求項１に記載の印鑑である。
【０００９】
請求項３記載の発明は、印鑑の印面が形成され少なくとも該印面からインクを滲出可能で場合によりインクを吸収可能な印字体、及び、この印字体を収容保持する収容保持部からなる印鑑本体と、前記収容保持部と連結可能とされボールペンの軸体後端部に取り付け可能な台座とから分割構成され、前記収容保持部には前記台座と連結するための係合手段が設けられ、前記台座には前記係合手段と係合可能な被係合手段が設けられてなる、ボールペンの軸体後端部に取り付け可能な印鑑の前記印鑑本体を収容するためのケースであり、一端が開口され他端に底板を有する第１の有底筒体と、一端が開口され他端に底板を有する第２の有底筒体とからなり、これら有底筒体は、開口部側同士で着脱可能な嵌合が可能とされ、これらを相互に嵌合させたときの該ケースの底板間隔は、前記印鑑本体の高さに略等しくなっており、一方の有底筒体には、前記係合手段を収容する凹所が、該有底筒体の内側から形成されていることを特徴とするケースである。
【００１０】
請求項４記載の発明は、印鑑の印面が形成され少なくとも該印面からインクを滲出可能で場合によりインクを吸収可能な印字体、及び、この印字体を収容保持する収容保持部からなる印鑑本体と、前記収容保持部に連結可能とされボールペンの軸体後端部に取り付け可能な台座とから分割構成され、前記収容保持部には前記台座と連結するための係合手段が設けられ、前記台座には前記係合手段と係合可能な被係合手段が設けられてなる印鑑の前記台座が、前記係合手段と前記被係合手段を互いに係合させた状態で、ボールペンの軸体後端部に取り付けられていることを特徴とする印鑑付きボールペンである。
これらの発明を提供することにより、上記課題を悉く解決する。
【００１１】
【発明の実施の形態】
本発明の実施形態について、図面を参照しつつ説明する。
図１は、本発明における印鑑本体を、該印鑑本体を取り付けるボールペンと共に示す図であり、印鑑本体をボールペンに取り付ける前の状態を示す図である。図２は、図１に示す印鑑及びボールペンの断面図である。図３は、本発明における印鑑本体を該印鑑本体を取り付けるボールペンと共に示す図であり、印鑑本体をボールペンに取り付けた後の状態を示す図である。図４は、図３に示す印鑑及びボールペンの断面図である。
本発明に係る印鑑（１）は、ボールペン（２）の軸体（３）後端部に取り付け可能な印鑑であって、この印鑑の印面（８）が形成され少なくとも該印面（８）からインクを滲出可能で場合によりインクを吸収可能な印字体（４）、及び、この印字体（４）を収容保持する収容保持部（６）からなる印鑑本体（３４）と、収容保持部（６）に連結可能とされ軸体（３）後端部に取り付け可能な台座（１２）とから分割構成され、収容保持部（６）には台座（１２）と連結するための係合手段（１５）が設けられ、台座（１２）には係合手段（１５）と係合可能な被係合手段（１４）が設けられていることを特徴とする印鑑である。
収容保持部（６）の台座（１２）側の端部、台座（１２）の収容保持部（６）側の端部にはそれぞれ底板（９）（１０）が設けられ、収容保持部（６）の底板（９）には、嵌合用突起もしくは嵌合用孔のいずれか一方が形成され（図示例では嵌合用突起）、台座（１２）の底板（１０）には嵌合用突起もしくは嵌合用孔の他方が形成され（図示例では嵌合用孔）、これら嵌合用突起と嵌合用孔は相互に嵌合可能となっている。嵌合用突起の長さは、底板（９）（１０）の厚みと同程度かそれよりもやや大きく設定されている。底板（９）に設けられた嵌合用突起もしくは嵌合用孔が係合手段（１５）を構成し、底板（１０）に設けられた嵌合用孔もしくは嵌合用突起が被係合手段（１４）を構成する。
以下、これら構成要素について詳述する。
【００１２】
印字体（４）は、後端面に印面（８）が形成され、該印面（８）からインクが滲出可能とされたものである。この印字体（４）は、連続気泡をもつ多孔質体であって、この連続気泡が通孔を形成し、この通孔を通じてインクが滲出可能とされている。印字体（４）は、エチレンビニルアルコール等の弾性素材から構成される。保持体（６）の底板（９）と印字体（４）の間には、連続気泡をもつ多孔質体であってこの連続気泡が通孔を形成するインク吸蔵体（５）が配設されている。インク吸蔵体（５）内のインクは、印字体（４）を通じて滲出する。これにより、紙等に押印することができる。インク吸蔵体（５）はできるだけ短く（薄く）形成される。少なくとも台座（１２）の軸長方向長さは印鑑本体（３４）の軸長方向長さより長い方が良い。
【００１３】
尚、インク吸蔵体（５）を設けずに、印字体（４）にインクを含浸させておき、このインクを印面（８）から滲出させることも可能である。この場合、インクがなくなったら印面（８）からインクを浸透させることで、インク補充をすることができる。
【００１４】
収容保持部（６）は、印字体（４）を支持する底板（９）を該収容保持部（６）の軸長方向（高さ方向）の一端に有する有底筒状体である。
尚、収容保持部（６）は、筒状ではあるが、その具体的形態は特に限定されず、例えば、円筒状（図示例）、四角筒状等とすることができる。
【００１５】
前述の如く、収容保持部（６）の台座（１２）側の端部には底板（９）が設けられ、その底板（９）には、係合手段（１５）が設けられている（図示例では嵌合用突起（１５））。
尚、台座（１２）の底板（１３）には被係合手段（１４）が形成され（図示例では嵌合用孔（１４））、これら嵌合用突起と嵌合用孔は相互に嵌合可能である。
嵌合用突起（１５）の周面には、抜け止め用の隆起部（１６）が形成されていることが好ましい。隆起部（１６）を設けた場合、一旦嵌合用突起（１５）を嵌合用孔（１４）と嵌合すると、嵌合用突起（１５）を嵌合用孔（１４）から抜くことができなくなる。
【００１６】
台座（１２）の構造は特に限定されるものではないが、例えば、後端に底板（１０）を有する有底筒状の支持部（１７）と、この支持部（１７）の前端から前方に延出され支持部（１７）より若干小径とされた差込筒部（１８）とから構成することができる。差込筒部（１８）には、その前端から後方へ延びるスリット（１９）が複数本形成され、このスリット（１９）が差込筒部（１８）の径方向への弾性変形を可能にしている。
【００１７】
前述の如く、台座（１２）の底板（１３）には嵌合用突起もしくは嵌合用孔が形成され（図示例では嵌合用孔（１４））、収容保持部（６）に設けられた嵌合用孔或いは嵌合用突起と嵌合可能とされている。
台座（１２）の差込筒部（１８）は、ボールペン（２）の後端部に形成された凹部（２０）に着脱可能若しくは取り外し不能に嵌合され、これにより、ボールペン（２）の後端部に台座（１２）を配設することができる。
【００１８】
次に、この印鑑（１）が取り付けられるボールペンについて説明する。
ボールペン（２）は、ペン先（２１）（図７参照）が軸体（３）先端から出没する形式のものであってもよいし、或いは、ペン先が出たままのものであってもよい。また、ペン先（２１）が出没可能とされたものの場合は、ペン先（２１）を出没させる機構が必要となるが、その形態も特に限定されず、図示例の如く、軸体（３）の側面に設けられたノック部（２２）を該軸体（３）の軸長方向に沿ってノックするものであってもよいし、或いは、ノック部を軸体（３）の後端部に設けてもよい。ノック部（２２）を軸体（３）後端部に設ける場合には、印鑑（１）はノック部の一部を構成し、該印鑑（１）を軸体（３）の軸長方向にノックすることになる。ノック機構には、例えばカーン式ノック機構として知られたものを採用することができる。
上述した印鑑（１）が、前記嵌合用突起と嵌合用孔が相互に嵌合された状態で、ボールペン（２）の軸体（３）後端部に取り付けられたものが、本発明に係る印鑑付きボールペン（３２）となる。
台座（１２）をボールペン（２）に取り付けた後、その台座（１２）に収容保持部（６）を取り付けてもよいし、或いは、台座（１２）に収容保持部（６）を取り付けた後、その台座（１２）をボールペン（２）に取り付けてもよい。
【００１９】
次に、この印鑑（１）を収容するためのケースについて説明する。
図１０は、本発明に係るケースを示す図であり、（ａ）はその側面図、（ｂ）はその断面図である。図１１は、本発明に係るケースの第１の有底筒体を示す図であり、（ａ）はその平面図、（ｂ）は（ａ）のＢ−Ｂ線断面図、（ｃ）はその底面図である。図１２は、本発明に係るケースの第２の有底筒体を示す図であり、（ａ）はその平面図、（ｂ）は（ａ）のＣ−Ｃ線断面図、（ｃ）はその底面図である。
【００２０】
本発明におけるケース（２３）は、印字体（４）と収容保持部（６）とからなる印鑑本体（３４）を収容するためのケースである。
このケース（２３）は、一端が開口されこの開口部から印鑑本体（３４）の印面（８）側を収容する第１の有底筒体（２４）と、一端が開口されこの開口部から印鑑本体（３４）の底板（９）側を収容する第２の有底筒体（２５）とからなり、これら有底筒体（２４）（２５）は、開口部側同士で着脱可能な嵌合が可能とされ、これらを相互に嵌合させたときのケースの底板間隔（Ｌ２）は、印鑑本体（３４）の軸長方向長さすなわち高さ（Ｌ１）に略等しくなっている。
【００２１】
第１の有底筒体（２４）（図１１、１３参照）は、上述の如く、一端が開口されこの開口部（２８）から印鑑本体（３４）の印面（８）側を収容するものである。この第１の有底筒体（２４）は、収容保持部（６）より若干大きな径で形成される。
【００２２】
第２の有底筒体（２５）（図１２、１３参照）は、上述の如く、一端が開口されこの開口部（２９）から印鑑本体（３４）の底板（９）側を収容するものである。この第２の有底筒体（２５）は、通常、第１の有底筒体（２４）より若干大きな径で形成され、第１の有底筒体（２４）に着脱可能に外嵌される。
印鑑本体（３４）が嵌合用突起（１５）を有する場合、第２の有底筒体（２５）の底板（１１）には、嵌合用突起（１５）を収容可能な凹所（２６）が、第２の有底筒体（２５）の内側からみて形成されている。尚、この凹所（２６）は、第２の有底筒体（２５）の外側から見ると凸所（２７）となっている。
【００２３】
これら有底筒体（２４）（２５）は、前述の如く、開口部側同士で着脱可能な嵌め合いが可能である。また、これら有底筒体（２４）（２５）を相互に嵌合させたときのケース（２３）の底板間隔（Ｌ２）は、印鑑本体（３４）の軸長方向長さすなわち高さに略等しくなっている。よって、ケース（２３）の高さを小さくし、これを封筒に入れたときに該封筒の厚さを小さくすることができる。
【００２４】
次に、上述した印鑑（１）及び印鑑収納ケース（２３）の使用方法について説明する。
通常、販売前において、印鑑（１）は、台座（１２）と印鑑本体（３４）とに分離されており、台座（１２）はボールペン（２）の軸体（３）後端部に取り付けられている。つまり、台座（１２）付きのボールペン（２）と印鑑本体（３４）が別々に販売される。
台座（１２）付きのボールペン（２）は、通常、店頭において供給される。
一方、印鑑本体（３４）は葉書によって注文が受け付けられる。ボールペン購入者は、店頭において印鑑本体（３４）を含めた料金を一括で支払う。該購入者は、印鑑本体（３４）を注文するとき、印面（８）に刻印されるべき名前を葉書に記入する。注文を受けた受注者は、受注を受けた名前が刻印された印字体（４）を作製し、この印字体（４）を用いて印鑑本体（３４）を構成し、この印鑑本体（３４）をケース（２３）に入れてこれをボールペン購入者に郵送する。印鑑本体（３４）を入れたケース（２３）は薄く構成できるから、該ケース（２３）を入れた封筒を薄く略扁平にすることができる。よって、この印鑑本体（３４）は郵便局内や配送中での機械処理時に機械に挟まれて破損するといったことがない。
ボールペン購入者は、印鑑本体（３４）を受け取ったら、予め供給されていた台座（１２）付きのボールペン（２）にその印鑑本体（３４）を自ら取り付け、印鑑付きボールペン（３２）を構成する。
【００２５】
印鑑本体（３４）が郵送されてきたとき、該印鑑本体（３４）は、ケース（２３）内に収容されている。印鑑本体（３４）の印面（８）側は第１の有底筒体（２４）内に収容され、印鑑本体（３４）の嵌合用突起もしくは嵌合用孔側は第２の有底筒体（２５）内に収容され、これら有底筒体（２４）（２５）は開口部側で相互に嵌め合わされている。有底筒体（２４）（２５）を相互に嵌合させたときのケース（２３）の底板間隔（Ｌ２）は、印鑑本体（３４）の高さに略等しくなっているので、この嵌め合わせ状態で、ケース（２３）の軸長方向の長さ（高さ）を小さく設定することができる。よって、上記の如く、該ケース（２３）を入れた封筒の厚みを薄くすることができる。
【００２６】
印鑑本体（３４）は、このケース（２３）から取り出して使用することができる。印鑑本体（３４）をボールペン（２）に取り付けるときには、例えば、印鑑本体（３４）の嵌合用突起（１５）を、ボールペン（２）に取り付けられている台座（１２）の嵌合用孔（１４）に嵌め込み、印鑑本体（３４）を台座（１２）に固定する。印鑑本体（３４）は通常、台座（１２）から取り外しできないように固定される。
印面（８）を紙などに押し付ければ、印面（８）からインクが滲出し、その紙に押印することができる。印鑑（１）を使用しないときは、後端に底板（３１）を有する有底筒状の印鑑カバー（３０）を軸体（３）の後端部に装着する。
【００２７】
本発明に係る、ボールペンに取り付け可能な印鑑（１）によれば、印鑑を印鑑本体（３４）と台座（１２）に分割することによって、印鑑本体（３４）を封筒に入れたときに該封筒を薄く略扁平にすることができ、郵便局での処理や配送時の破損を防止することができる。
また、本発明によれば、その印鑑本体（３４）をコンパクトに収容するケース（２３）を提供することができ、該印鑑本体（３４）を入れたケース（２３）を封筒に入れると、その封筒は厚みが薄くなって略扁平になり、印鑑本体の郵便局での処理や配送時の破損を防止することができる。
また、本発明によれば、その印鑑（１）を取り付けてなる印鑑付きボールペン（３２）を提供することができる。
尚、既に印鑑本体（３４）が取り付けられたボールペン（２）（すなわち印鑑付きボールペン（３２））を、店頭販売の他、葉書による注文販売等によって販売することも可能である。
【００２８】
【発明の効果】
本発明によれば、印鑑を印鑑本体と台座に分割し、印鑑を配送するのではなく印鑑本体のみを配送することによって、印鑑本体の配送時に該印鑑本体が機械に挟まれて破損するといった不都合をなくすことができる、ボールペンに取り付け可能な印鑑を提供することができる。また、該印鑑本体の配送時に印鑑本体をコンパクトに収容することができるケース、並びに、この印鑑本体を含む印鑑を取り付けてなる印鑑付きボールペンを提供することができる。
印鑑本体を入れて封筒を薄く略扁平にすれば、該封筒を積み重ねることもでき、該封筒の保管スペースを小さくすることができる。
【図面の簡単な説明】
【図１】本発明における印鑑本体を、該印鑑本体を取り付ける台座及びボールペンと共に示す図であり、印鑑本体をボールペンに取り付ける前の状態を示す図である。
【図２】図１に示す印鑑及びボールペンの断面図である。
【図３】本発明における印鑑本体を、該印鑑本体を取り付ける台座及びボールペンと共に示す図であり、印鑑本体をボールペンに取り付けた後の状態を示す図である。
【図４】図３に示す印鑑及びボールペンの断面図である。
【図５】本発明に係る印鑑が取り付けられたボールペンを示す平面図である。
【図６】本発明に係る印鑑が取り付けられたボールペンを示す正面図である。
【図７】本発明に係る印鑑が取り付けられたボールペンを示す正面図であり、ペン先を出した状態を示す図である。
【図８】本発明に係る印鑑が取り付けられたボールペンを示す正面図であり、印鑑カバーを取り外した状態を示す図である。
【図９】本発明に係る印鑑が取り付けられたボールペンを示す断面図であり、図６に示す印鑑付きボールペンのＡ−Ａ線断面図である。
【図１０】本発明に係るケースを示す図であり、（ａ）はその側面図、（ｂ）は（ａ）の断面図である。
【図１１】本発明に係るケースの第１の有底筒体を示す図であり、（ａ）はその平面図、（ｂ）は（ａ）のＢ−Ｂ線断面図、（ｃ）はその底面図である。
【図１２】本発明に係るケースの第２の有底筒体を示す図であり、（ａ）はその平面図、（ｂ）は（ａ）のＣ−Ｃ線断面図、（ｃ）はその底面図である。
【図１３】本発明に係るケースを示す断面図であり、印鑑本体を収容した状態で示す図である。
【符号の説明】
１・・・・・印鑑
２・・・・・ボールペン
３・・・・・軸体
４・・・・・印字体
６・・・・・収容保持部
８・・・・・印面
１２・・・・台座
１４・・・・嵌合用孔
１５・・・・嵌合用突起
２３・・・・印鑑収納ケース
２４・・・・第１の有底筒体
２５・・・・第２の有底筒体
２８・・・・第１の有底筒体の開口部
２９・・・・第２の有底筒体の開口部
３２・・・・印鑑付きボールペン
３４・・・・印鑑本体
【図１】
2004223814.tif 000003
【図２】
2004223814.tif 000004
【図３】
2004223814.tif 000005
【図４】
2004223814.tif 000006
【図５】
2004223814.tif 000007
【図６】
2004223814.tif 000008
【図７】
2004223814.tif 000009
【図８】
2004223814.tif 000010
【図９】
2004223814.tif 000011
【図１０】
2004223814.tif 000012
【図１１】
2004223814.tif 000013
【図１２】
2004223814.tif 000014
【図１３】
2004223814.tif 000015